(57)【要約】      （修正有）【課題】部品の余寿命を監視する監視装置において、フィールドで発生した故障実績データを迅速かつ、容易に反映させ、監視装置の信頼性を向上。【解決手段】部品寿命監視装置は、保守管理業者との間に接続された通信回路網１１９を通じて、フィールドの故障実績を踏まえた新たな部品信頼性データを受信する。前記部品寿命監視装置はデータの受信を確認すると、当該データと使用環境データから自動的に部品余寿命の修正を行う。【選択図】図１
2013092405.tif 000002
【特許請求の範囲】
【請求項１】
機器の使用環境をモニタリングし、部品の推定余寿命を算出する監視装置において、使用環境の測定を行うセンサと、推定余寿命の演算を行う演算装置と、推定余寿命の記録を行う記憶装置と、寿命が近づいた際に交換やメンテナンスの実施を促すための警告手段と、を備えたことを特徴とする部品寿命監視装置。
【請求項２】
請求項１の記載において、
前記演算装置は、前記フィールドデータの受信を確認し、自動的に部品余寿命の再計算を行うことを特徴とする部品寿命監視装置。
【請求項３】
請求項１の記載において、
前記フィールドデータは、フィールドでの当該部品の故障実績と、メーカが提示する加速試験のデータから算出されることを特徴とする部品寿命監視装置。
【請求項４】
請求項１の記載において、
前記推定余寿命は前記フィールドデータと前記使用環境データから算出されることを特徴とする部品寿命監視装置。
【発明の詳細な説明】
【技術分野】
【０００１】
本発明は、寿命監視装置および寿命監視システムに関し、特に産業用機器に用いられる部品の余寿命をその使用環境からリアルタイムに計測し、部品寿命による故障発生前に、ユーザに対して交換やメンテナンスを促すメッセージを出力する寿命監視装置および寿命監視システムに関する。
【背景技術】
【０００２】
高信頼性と高スループットの双方が求められる産業用機器においては、搭載部品の故障による稼動停止を避けたいという要望が非常に強い。そのため産業用機器では故障を未然に防ぐため、定期的なメンテナンスや部品交換が必要不可欠となっている。
【０００３】
例えば血液分析装置は、救急搬送された患者の血液をすぐさま分析し、その結果に応じた治療を行うことがある。この場合、一時的な故障でも人命に関わる大きな問題となる。また半導体の製造装置、検査装置ではラインの一時停止による経済的損失が大きい。
【０００４】
その一方で、機器に使用される部品の寿命は、使用環境によって左右されることが知られている。すなわち、機器の使用環境次第では、部品メーカが提示している寿命よりも早く経年劣化が進行する場合や、逆に進行が進まない場合がある。
【０００５】
そのため従来では、保守管理業者と顧客の間で定められた定期点検日よりも早く部品が寿命を迎え、機器が故障してしまうことがあった。また、部品の劣化がさほど進んでいないにも関わらず新しい部品に交換してしまい、無駄なコストをかけることがあった。
【０００６】
前記の背景を考慮して、産業用機器の内部にセンサを取り付けて使用環境を測定し、部品の余寿命をリアルタイムで計測し、交換やメンテナンスの時期を事前にユーザに知らせる技術が開示されている。例えば特許文献１においては、機器内部で測定した余寿命のデータを保守管理業者が遠隔監視できる仕組みになっており、部品交換にかかる人や物のコスト削減を行っている。
【先行技術文献】
【特許文献】
【０００７】
【特許文献１】特開２００８−３１０６３３号公報
【発明の概要】
【発明が解決しようとする課題】
【０００８】
ところで部品メーカが提示している部品の寿命や故障率などの信頼性データは、一般的に実使用試験ではなく加速試験の結果から導出されたものである。加速試験は実使用環境よりも厳しいストレス条件で行われる試験であり、故障の発生を促進させ、短時間で実使用環境の故障率や寿命を推定している。
【０００９】
部品メーカの加速試験は短時間で行われる上、サンプル数も少ないため、必ずしも実使用環境と同等の信頼性データが得られるとは限らない。そのため、部品の推定余寿命をより信頼性の高いものにするためには、メーカが提示している信頼性データに加えて、フィールドでの故障実績データも反映させることが望ましい。
【００１０】
本発明は前記課題を解決するための発明であり、部品の余寿命を監視する監視装置において、フィールドで発生した故障実績データを迅速かつ、容易に反映させ、推定余寿命の信頼性を向上させることを目的としたものである。
【課題を解決するための手段】
【００１１】
前記目的を達成するため、本発明の実施様態は、機器の使用環境をモニタリングし、部品の推定余寿命を算出する監視装置において、使用環境の測定を行うセンサと、推定余寿命の演算を行う演算装置と、推定余寿命の記録を行う記憶装置と、寿命が近づいた際に交換やメンテナンスの実施を促すための警告手段と、フィールドでの故障実績を踏まえた新たな部品信頼性データ（以下、フィールドデータ）を受信し、データの反映完了を発信するための通信手段と、を備えたものである。
【発明の効果】
【００１２】
本発明によれば、フィールドでの部品故障データを反映させることでより信頼性の高い余寿命推定ができる。また、迅速なデータ修正により同一要因による機器の故障を最小限に留めることができる。
【図面の簡単な説明】
【００１３】
【図１】監視対象機器の主な構成を示す図。
【図２】部品余寿命データベースの構成例を示す図。
【図３】部品の交換を促すメッセージ例を示す図。
【図４】保守管理システムの構成を示す図。
【図５】フィールドデータの反映工程を示すフローチャート図。
【図６】実施形態２における監視対象機器の構成を示す図。
【図７】実施形態２における保守管理システムの構成を示す図。
【図８】実施形態２におけるデータサーバの内部構成を示す図。
【図９】実施形態２におけるフィールドデータの反映工程を示すフローチャート図。
【発明を実施するための形態】
【００１４】
以下、図面を参照して本発明の実施例を説明する。
【００１５】
＜実施形態１＞
図１は本発明における監視対象機器１０１の主な構成を示す図である。監視対象機器は使用環境を測定する温度センサ１０２、湿度センサ１０３、電圧センサ１０４から構成されるセンサ部１０５と、使用時間を測定するカウンタ１０６と、部品の余寿命計算及び警告判定を行う演算部１０７と、部品の余寿命データや判定閾値１１６を格納する記憶部１０８と、メンテナンスや交換をユーザに促すための表示部１０９と、保守管理業者との通信を目的とした通信部１１０とを備える。
【００１６】
なお本実施形態では監視対象機器１０１に監視装置の役割を果たすセンサ部１０５や演算部１０７などが全て組み込まれた構成とするが、演算部１０７、記憶部１０８、表示部１０９、通信部１１０は別途用意された監視用端末に搭載されていても良い。
【００１７】
記憶部１０８はフラッシュメモリやＲＯＭ（Read Only Memory）のような不揮発性メモリやＨＤＤのような記憶装置によって構成される。記憶部１０８には、部品信頼性データベース１１３、部品余寿命データベース１１４、使用環境データベース１１５、判定閾値１１６が格納される。
【００１８】
部品信頼性データベース１１３には、部品メーカが出荷時に示すデータが部品ごとに記憶されている。例えば、下記で説明するアレニウスの法則を用いた具体例では、定数Ａや活性化エネルギーＥａ等の値である。部品メーカは一般的に、加速試験の結果からこれらの値を導出し、使用温度Ｔにおける推定寿命Ｌを公表する。
【００１９】
使用環境データベース１１５には、部品の総使用時間や使用された温度等の環境データが記憶されている。
【００２０】
判定閾値１１６は、部品交換の目安となる時期（寿命）を示した値である。例えば、ある部品につき、装置メーカやメンテナンス業者が「寿命が１年の時に交換する」と決めた場合、その部品の判定閾値は「１年」となる。判定閾値は、装置の出荷時にメーカが自由に設定することができ、また顧客の要望等に応じて随時変更できるものとする。
【００２１】
表示部１０９はＣＲＴ（陰極線管）、液晶ディスプレイ、プラズマディスプレイなどの表示デバイスによって構成される。
【００２２】
カウンタ１０６は前記監視対象機器１０１の動作時間を測定することに加え、あらかじめ設定した任意の周期でセンサ部１０５に対して測定値の出力命令を出し、使用環境のサンプリングを行う。サンプリングした使用環境のデータは記憶部１０８内の使用環境データベース１１５に格納する。
【００２３】
演算部１０７内の余寿命演算部１１１は任意の周期（例えば１日１回）で記憶部１０８内の使用環境データ、部品余寿命データ、部品信頼性データを読み込み、読み込んだ各データを元に部品余寿命の演算を行う。演算結果は記憶部１０８内の部品余寿命データベース１１４に格納する。
【００２４】
図２に部品余寿命データベース１１４の例を示す。データベースには監視対象機器１０１に搭載されている部品名称２０１、メーカ２０２、型式２０３、使用基板２０４、番地２０５（プリント基板内での搭載場所）、総使用時間２０６、周辺温度２０７、推定余寿命２０８が記録されている。ここで、周辺温度２０７は当該部品の番地２０５の最も近くに配置されている温度センサ１０２の値を用いる。
【００２５】
部品余寿命は部品信頼性データベース１１３及び使用環境データベース１１５を用いて計算される。
【００２６】
寿命推定のモデルとして、例えば使用環境データとして温度ストレスを用いて余寿命を計算するアレニウスの法則や、使用環境データとして湿度や電圧のストレスを用いて余寿命を計算するアイリングモデルなどがある。
【００２７】
アレニウスの法則は以下の式で求められる。
【００２８】
【数１】
2013092405.tif 000003
（Ｌ：推定寿命、Ａ：定数（頻度因子）、Ｅａ：活性化エネルギー、Ｋ：ボルツマン定数、Ｔ：絶対温度）
【００２９】
また、アイリングモデルは以下の式で求められる。
【００３０】
【数２】
2013092405.tif 000004
（Ｌ：推定寿命、Ａ：定数（頻度因子）、Ｅａ：活性化エネルギー、Ｋ：ボルツマン定数、Ｔ：絶対温度、ｆ：相対湿度関数、ｇ：電圧関数）
【００３１】
演算部１０７は、部品信頼性データベース１１３及び使用環境データベース１１５を上記の余寿命推定モデルに代入して推定寿命を算出し、そこから使用環境データベース１１５に記憶された総使用時間を引いて余寿命を計算する。余寿命演算部１１１で余寿命計算を行った後、メンテナンス判定部１１２に余寿命データを送る。メンテナンス判定部１１２は前記余寿命データと記憶部１０８から読み出した判定閾値１１６との比較を行い、寿命判定を行う。
【００３２】
寿命判定の結果が判定閾値１１６を下回っていた場合、演算部１０７は表示部１０９に対して部品交換が必要である旨を知らせるメッセージ３０１を送信する（例えば図３）。
【００３３】
部品余寿命データベース１１４に記憶されていた余寿命のデータは、推定された余寿命と比較して、必要があれば判断の対象とする。
【００３４】
併せて、通信制御部１１８は部品余寿命データベース１１４から監視対象機器１０１に搭載される全部品の余寿命データを取り出し、外部通信インタフェース１１７と通信回路網１１９を介して保守管理業者の管理端末４０１にデータを送信する。保守管理業者は受信したデータの送信元アドレスと、送信された部品余寿命データから、どのユーザのどの部品に寿命が近づいているのかを判断する。
【００３５】
前記手法により、保守管理業者と顧客が部品寿命の到来を同時に把握することができ、交換部品の準備やメンテナンスの日程調整をスムーズに行うことができる。
【００３６】
以下にフィールドデータを監視対象機器に反映させるための形態を示す。
【００３７】
図４はフィールドデータの反映を通信回路網１１９を用いて容易に実現するための保守管理システムを示した図である。本システムは、保守管理業者の管理端末４０１と、各顧客が保有する監視対象機器１０１と、顧客と保守管理業者の間を繋ぐ通信回路網１１９によって構成される。
【００３８】
保守管理業者の管理端末４０１には管理対象となる全ての部品の信頼性データが格納されており、それぞれ使用されている機器および機器を設置している顧客の情報が閲覧可能となっている。
【００３９】
図５にフィールド故障発生時における余寿命再計算のフローチャート図を示す。フィールドで部品故障が発生すると（ステップ５０１）、機器製造元もしくは保守管理業者は、部品の信頼性データを修正すべきか判断する（ステップ５０２）。修正すべきと判断すれば、保守管理業者は管理端末４０１内の当該部品の信頼性データをフィールドデータに更新する（ステップ５０３）。
【００４０】
前記フィールドデータ更新後、保守管理業者は管理端末４０１から当該部品を使用している顧客及び監視対象機器１０１の情報を調べ（ステップ５０４）、通信回路網１１９を通じて監視対象機器１０１に対してフィールドデータを送信する（ステップ５０５）。
【００４１】
顧客側の監視対象機器１０１の通信制御部１１８は前記データを受信すると（ステップ５０６）、記憶部１０８の部品信頼性データベース１１３を更新すると共に（ステップ５０７）、余寿命演算部１１１に対して部品余寿命の再計算命令を出す。余寿命演算部１１１は更新時における最新の使用環境データと余寿命データを元に余寿命の再計算を行い（ステップ５０８）、メンテナンス判定部１１２は閾値判定を行う。
【００４２】
余寿命計算の方法としてアレニウスの法則を用いる場合の、余寿命再計算方法について例を示す。保守管理業者もしくは機器製造元は、部品メーカが提示する信頼性データとフィールドでの実故障データの両方を用い、アレニウスプロットを再度実施する。そこで導出された活性化エネルギー（Ｅａ）と頻度因子（Ａ）を新たな部品信頼性データとして更新することで、顧客はそれぞれの機器の使用環境に合った補正を行うことができる。
【００４３】
前記閾値判定を終えると、通信制御部１１８は保守管理業者に対して余寿命再計算が終了したことを示すメッセージを送信する。保守管理業者の管理端末４０１は前記メッセージの受信を確認した時点で、フィールドデータの反映を正常に終えたと判断する。
【００４４】
本実施形態によれば、フィールドで部品故障が発生した際、通信回路網１１９を用いた迅速なデータ修正を行うことができる。これにより、同一要因による機器の故障を最小限にとどめることができる。
【００４５】
また本実施形態によれば、フィールドデータの反映は保守管理業者の作業のみで実施されることになり、顧客に負担をかけることが無い。
【００４６】
＜実施形態２＞
図６に実施形態２における余寿命監視対象機器６０１の構成図を示す。図６は演算部と記憶部が無い点以外は、図１と全く同様である。そのため構成図の説明は省略する。
【００４７】
図７に実施形態２におけるシステム全体図を示す。本システムは監視対象機器６０１と、保守管理業者の管理するデータサーバ７０１と、余寿命の演算を行う演算装置７０２と、管理端末４０１と、顧客と保守管理業者とを繋ぐ通信回路網１１９とで構成される。
【００４８】
前記管理端末４０１には実施形態１と同様、管理対象となる全部品の信頼性データが格納されている。
【００４９】
データサーバ７０１は各顧客の顧客データベース８０１から構成されている。各顧客データベースには、顧客名８０２、使用機器データ８０３が格納されている（図８参照のこと）。
【００５０】
前記使用機器データ８０３は、機器名称８０４、機器型式８０５のほか、当該機器の部品信頼性データベース１１３、部品余寿命データベース１１４、使用環境データベース１１５、判定閾値１１６によって構成される。
【００５１】
実施形態１と同様、監視対象機器６０１ではセンサ部１０５による使用環境の測定と、カウンタ１０６による使用時間の測定を行う。センサ部１０５及びカウンタ１０６はそれぞれ任意の周期で測定値を通信制御部１１８に送り、通信制御部１１８は外部通信インタフェース１１７と通信回路網１１９を介して保守管理業者の顧客データベース８０１に送信する。
【００５２】
保守管理業者の演算装置７０２は任意の周期で顧客データベース８０１にアクセスし、使用環境データと部品信頼性データ、および部品余寿命データを元に、部品余寿命の演算を自動的に行う。
【００５３】
余寿命の演算を終えると判定閾値１１６との比較を行い、もし判定閾値１１６を下回っていた場合には管理端末４０１にその旨を示すメッセージが表示され、同時に通信回路網１１９を通じて顧客の監視対象機器６０１に送信される。判定閾値１１６を上回っていた場合には、そのまま次の余寿命演算まで待機するか、もしくは他の顧客装置の余寿命演算を行う。
【００５４】
監視対象機器６０１の通信制御部１１８は前記メッセージの受信を確認すると、表示部１０９に対してメッセージの表示命令を出す。表示部１０９は命令を受け、メンテナンス推奨表示１２０を表示する。
【００５５】
前記と並行して、保守管理業者は管理端末４０１へのメッセージ受信を確認すると、当該部品の在庫確認や顧客とのメンテナンス日程の調整などを行う。
【００５６】
実施形態２において、顧客は通信回路網１１９を通じて保守管理業者のデータサーバ７０１にアクセスした後、顧客ＩＤと機器ＩＤ、パスワードを用いて自身の顧客データベース８０１にアクセスすることができ、部品の余寿命データを自由に閲覧できる。
【００５７】
顧客ＩＤと機器ＩＤ、パスワードは保守管理業者から顧客に提供されるもので、顧客ＩＤは顧客１社（もしくは１箇所）につき１つ発行され、機器ＩＤは各機器ごとに発行される。パスワードの初期値は保守管理業者が設定して良いが、それ以降は顧客が自由に変更可能とする。
【００５８】
以下、図９を参照しながら実施形態２におけるフィールドデータ更新方法について示す。当該部品を使用している顧客及び監視対象機器１０１の情報を調べる（ステップ５０４）までは図５のフローと同様であるため、説明は省略する。
【００５９】
保守管理業者は次に当該部品を使用している各顧客の顧客データベース８０１へアクセスし（ステップ９０１）、前回送信された使用環境のデータと、部品余寿命データ、及び新しい部品信頼性データによって余寿命の再計算を行い、閾値判定を行う（ステップ９０２）。
【００６０】
閾値判定を終えた時点で、フィールドデータの反映作業は終了とする（ステップ５１１）。
【００６１】
実施形態２によれば、図１における余寿命の演算部１０７やデータの記憶部１０８が監視対象機器１０１から外れるため、機器のコスト削減、サイズ縮小を図りつつ信頼性の高い余寿命演算を行うことができる。
【符号の説明】
【００６２】
１０１、６０１  監視対象機器
１０２  温度センサ
１０３  湿度センサ
１０４  電圧センサ
１０５  センサ部
１０６  カウンタ
１０７  演算部
１０８  記憶部
１０９  表示部
１１０  通信部
１１１  余寿命演算部
１１３  部品信頼性データベース
１１４  部品余寿命データベース
１１５  使用環境データベース
１１６  判定閾値
１１７  外部通信インタフェース
１１８  通信制御部
１１９  通信回路網
２０１  部品名称
２０２  メーカ
２０３  型式
２０４  使用基板
２０５  番地
２０６  総使用時間
２０７  周辺温度
２０８  推定余寿命
３０１  メッセージ
４０１  管理端末
７０１  データサーバ
７０２  演算装置
８０１  顧客データベース
８０２  顧客名
【図１】
2013092405.tif 000005
【図２】
2013092405.tif 000006
【図３】
2013092405.tif 000007
【図４】
2013092405.tif 000008
【図５】
2013092405.tif 000009
【図６】
2013092405.tif 000010
【図７】
2013092405.tif 000011
【図８】
2013092405.tif 000012
【図９】
2013092405.tif 000013